(57)【特許請求の範囲】
【請求項１】
底板と、この底板の４辺からそれぞれ連続して立設された側板と、これらの側板のうち１つの側板に、側板の厚さ程度の間隙を開けて側板に対向して連設された折り返し板とを備え、前記折り返し板及び／又は折り返し板が連設された側板に、それらの板を相互に対向する方向に突出成形した凸部を設け、折り返し板が連設された側板に対向する側板に、前記凸部が嵌合する貫通孔を凸部に対応して形成したことを特徴とする連結式ケース。
【請求項２】
前記凸部は、折り返し板と折り返し板が連設された側板に相互に対向して複数個設けられ、前記貫通孔は、複数の凸部に対応して折り返し板が連設された側板に対向する側板に複数個形成されていることを特徴とする請求項１記載の連結式ケース。
【請求項３】
前記折り返し板が連設された側板の両側に位置する側板のうち一方の側板に、この側板に対して折り返す方向に前板を連設したことを特徴とする請求項１又は請求項２記載の連結式ケース。
【請求項４】
前記前板に名札を差し込むための係止片を取付けたことを特徴とする請求項３記載の連結式ケース。
【請求項５】
底板と、この底板の４辺からそれぞれ連続して立設された側板と、これらの側板のうち一対の対向側板に、それぞれ側板の厚さ程度の間隙を開けて側板に対向して連設された折り返し板とを備え、前記折り返し板及び／又は折り返し板が連設された側板に、それらの板を相互に対向する方向に突出成形した凸部を設けてなるケースと、底板と、この底板の４辺からそれぞれ連続して立設された側板とを備え、前記側板のうち一対の対向側板に、前記ケースの凸部が嵌合する貫通孔を凸部に対応して形成してなるケースとを１組とすることを特徴とする連結式ケース。
【請求項６】
合成樹脂板から請求項１のケースの底板、４つの側板、及び１つの側板に連設される折り返し板に相当する形状部分を切断すると共に、折り返し板が続く側板部分の所定位置に不完全打ち抜きにより凸部を成形し、且つ凸部に対応する側板部分の所定位置に打ち抜きにより貫通孔を形成し、得られた合成樹脂板を各板間の境界部分で折り曲げてケースとすることを特徴とする連結式ケースの製造方法。
【発明の詳細な説明】
【０００１】
【発明の属する技術分野】
本発明は、ケース同士を次々に連結できる連結式ケース、及びそのケースの製造方法に関する。
【０００２】
【従来の技術】
ケースの側板に別のケースの側板を連結し、ケースを横方向につなげることができるように構成したケースとしては、例えばケースの側板同士をネジ又はネジとナットで連結できるようにしたもの、或いはケースの側板に凹凸等の相補形状を設け、この相補形状を嵌合させるようにしたものなどがある。
【０００３】
【発明が解決しようとする課題】
しかしながら、それらのケースは、概して連結構造が複雑でコストが掛かるだけでなく、ケースの着脱が面倒である。例えば、ネジで連結するケースでは、ケースを着脱するたびにネジの締結・弛緩を行わなければならない上に、部品点数が増え、相補形状のケースの場合では、凹凸等をケースに別個に設ける必要があり、コスト高となる。
【０００４】
従って、本発明は、そのような問題点に着目してなされたもので、低コストでケースの着脱が容易な連結式ケース、並びにそのケースを安価に製造できる製造方法を提供することを目的とする。
【０００５】
【課題を解決するための手段】
前記目的を達成するために、本発明の請求項１の連結式ケースは、底板と、この底板の４辺からそれぞれ連続して立設された側板と、これらの側板のうち１つの側板に、側板の厚さ程度の間隙を開けて側板に対向して連設された折り返し板とを備え、前記折り返し板及び／又は折り返し板が連設された側板に、それらの板を相互に対向する方向に突出成形した凸部を設け、折り返し板が連設された側板に対向する側板に、前記凸部が嵌合する貫通孔を凸部に対応して形成したことを特徴とする。
【０００６】
このケースでは、ケースの一側板及び／又はこの側板に連設された折り返し板に凸部が設けられ、折り返し板が連設された側板に対向する側板に凸部対応の貫通孔が形成されているので、ケース同士を連結するには、ケースの貫通孔付きの側板を相手のケースの側板と折り返し板との間隙に強めに挿入すれば、貫通孔に凸部が嵌まり込み、両ケースが連結される。又、ケースを外すには、貫通孔付きの側板を間隙から強めに引き離せばよい。従って、ケースの着脱は容易である。
【０００７】
又、凸部は、側板及び／又は折り返し板を相互に対向する方向に突出成形したものであり、別個に設けるものではない。例えば製造工程で貫通孔は打ち抜き形成するが、打ち抜きを完全に行わずに途中で止めることで、板の当該部分の一方側が凹み、他方側が突出する凸部が形成される。従って、製造コストも掛からない。
【０００８】
一方、請求項５の連結式ケースは、底板と、この底板の４辺からそれぞれ連続して立設された側板と、これらの側板のうち一対の対向側板に、それぞれ側板の厚さ程度の間隙を開けて側板に対向して連設された折り返し板とを備え、前記折り返し板及び／又は折り返し板が連設された側板に、それらの板を相互に対向する方向に突出成形した凸部を設けてなるケースと、底板と、この底板の４辺からそれぞれ連続して立設された側板とを備え、前記側板のうち一対の対向側板に、前記ケースの凸部が嵌合する貫通孔を凸部に対応して形成してなるケースとを１組とすることを特徴とする。
【０００９】
このケースでは、２種類のケースを１組とするもので、一方のケースの折り返し板及び／又は折り返し板が連設された側板に凸部が設けられ、他方のケースの両側板に貫通孔が形成されており、前記した凸部と貫通孔との嵌合作用により双方のケースが連結される。
本発明の請求項６の連結式ケースの製造方法は、合成樹脂板から請求項１のケースの底板、４つの側板、及び１つの側板に連設される折り返し板に相当する形状部分を切断すると共に、折り返し板が続く側板部分の所定位置に不完全打ち抜きにより凸部を成形し、且つ凸部に対応する側板部分の所定位置に打ち抜きにより貫通孔を形成し、得られた合成樹脂板を各板間の境界部分で折り曲げてケースとすることを特徴とする。
【００１０】
この製造方法では、合成樹脂板からケース全体に相当する形状部分を切断する際に、貫通孔を打ち抜き形成すると共に、凸部を不完全打ち抜きにより成形する。不完全打ち抜きは、打ち抜きを完全に行わずに途中で止めるものであり、これにより凸部を一体に形成することができる。このため、複雑な形状の金型は不要であり、余計なコストが掛からずに容易にケースを製造できる。
【００１１】
【発明の実施の形態】
以下、本発明を実施の形態に基づいて説明する。
一実施形態に係る連結式ケースの斜視図を図１に示す。このケース１は、長方形状の底板１１と、底板１１の４辺からそれぞれ連続して立設された側板１２，１３，１４，１６と、側板１４に、側板１４の厚さ程度の間隙を開けて側板１４に対向して連設された折り返し板１５と、側板１４の一方側に位置する側板１６に、この側板１６に対して折り返す方向に連設された前板１７とを備える。折り返し板１５は側板１４とほぼ同じ高さ方向幅を有し、側板１６は他の側板１２，１３，１４より幾分高く、前板１７は側板１６との間に適度な間隔を置いている。
【００１２】
又、この実施形態では、側板１４と折り返し板１５には、その板１４，１５を相互に対向する方向に突出成形した円形状の３つの凸部１９がそれぞれ等間隔で設けられ、側板１４に対向する側板１２には、凸部１９が嵌合する円形状の３つの貫通孔１８が凸部１９に対応して等間隔で形成されている（図４参照）。なお、凸部１９と貫通孔１８の形状は、円形の他に、四角形、多角形、三角形等を採用でき、特定されない。その個数も少なくとも１個あればよいが、ケース１同士を安定して連結するには、前後方向に間隔を置いて少なくとも２個は設けた方がよい。
【００１３】
更に、この実施形態では、折り返し板１５に円弧状の切欠２０が形成され、この切欠２０は、ケース１同士の着脱を行い易くするためのものである。前板１７には、名札を差し込むための係止片３０が取付けられている。係止片３０は、ケース１よりも薄肉で適度の可撓性を持つ透明な材質からなり、一端側が前板１７の裏側に接着され、他端側が自由端として前板１７の表側に若干の隙間を置いて位置し、この隙間に収容物品名等を記した名札等を差し込めるようになっている。
【００１４】
このようなケース１は、例えば適度な可撓性を有するプラスチック板（合成樹脂板）から製造される。ケース１の展開図を図２に示すように、プラスチック板から図示のようなケース１全体に相当する形状の板を切断すると共に、側板１２に相当する部分の所定位置に貫通孔１８を打ち抜き形成し、且つ側板１４及び折り返し板１５に相当する部分の所定位置に凸部１９を不完全打ち抜きで成形する。この不完全打ち抜きは、打ち抜きを完全に行わずに途中で止めるものであり、それにより図４に示すような形状の凸部１９を板１４，１５に一体に成形できる。又、切欠２０も形成する。図２のような形状の板ができたら、点線部分（各板間の境界部分）でそれぞれ折り曲げて、図１のケース１に成形する。その後、必要に応じて係止片３０を前板１７に取付ける。
【００１５】
図１のケース１を連結するには、図３において、一方のケース１の側板１４と折り返し板１５との間隙に、他方のケース１の側板１２を強めに嵌め込む。このとき、側板１２で折り返し板１５を押し広げるようにすることで、側板１２を間隙に比較的容易に嵌め込むことができる。完全に嵌合させた状態では、図４に示すように、側板１２の貫通孔１８に両側から側板１４と折り返し板１５の凸部１９が対向嵌合した状態となり、側板１２が凸部１９で支持され、間隙から側板１２が簡単には抜けなくなる。又、側板１４と折り返し板１５で側板１２が両側から挟まれてガイドされるので、側板１２を持つケース１の安定性が良くなる。同様のことを行えば、ケース１を次々に連結することができる。
【００１６】
ケース１を外す場合には、側板１２を間隙から強めに引き抜けばよい。このときも、側板１２で折り返し板１５を押し広げるようにすれば簡単に側板１２を抜くことができる。
上記ケース１は単なる一例であり、各種態様がある。例えば図５では、ケース２が両側に上記の凸部１９付きの側板１４及び折り返し板１５を有するもので、ケース３が両側に貫通孔１８付きの側板１２を有するものである。この場合、ケース２とケース３の２種類のケースを組合せて、ケース２，３，２，…のように交互に連結することができる。なお、ケース２，３の製造は、前記ケース１の製造方法に準じて行えばよい。
【００１７】
又、上記実施形態では、凸部１９は側板１４と折り返し板１５に対向して設けられているが、位置をずらして設けてもよく、或いは側板１４又は折り返し板１５のどちらか一方のみに設けてもよい。但し、いずれの場合でも、凸部１９が嵌合する貫通孔１８は、対向側板１２に設けておく必要がある。
更には、上記実施形態では、同じ大きさ及び形状のケース同士を連結しているが、大きさや形状が異なるケースでも連結することが可能であり、ケースの大きさや形状に捕らわれず、比較的自由にケースを連結することができる。ケースの色に関しても、ケースに収容する物品が良く見えるように透明なものであってもよく、或いは種々の色彩を施したものでも構わない。
【００１８】
【発明の効果】
以上説明したように、本発明の請求項１及び請求項５の連結式ケースによれば、ケース同士を連結するには、ケースの貫通孔付きの側板を相手のケースの側板と折り返し板との間隙に強めに挿入すれば、貫通孔に凸部が嵌まり込み、両ケースが連結される。又、ケースを外すには、貫通孔付きの側板を間隙から強めに引き離せばよい。従って、ケースの着脱が容易である。
【００１９】
又、凸部は、側板及び／又は折り返し板を相互に対向する方向に突出成形したもの、即ち例えば製造工程で打ち抜きを完全に行わずに途中で止めることで成形されるものであるため、コストが掛からない。
本発明のケースは、その構造からして多少大きさや形状が異なるケースでも比較的自由に簡単に連結することができる至便なものである。
【００２０】
本発明の請求項６の連結式ケースの製造方法によれば、合成樹脂板からケース全体に相当する形状部分を切断する際に、貫通孔を打ち抜き形成すると共に、凸部を不完全打ち抜きにより成形する。不完全打ち抜きは、打ち抜きを完全に行わずに途中で止めるものであり、これにより凸部を一体に形成することができる。このため、複雑な形状の金型は不要であり、余計なコストが掛からずに容易にケースを製造できる。
【図面の簡単な説明】
【図１】一実施形態に係るケースの斜視図である。
【図２】図１のケースの展開図である。
【図３】図１のケース同士を連結する場合を示す斜視図である。
【図４】図１のケース同士を連結した状態での要部断面図である。
【図５】別実施形態に係るケース同士を連結する場合を示す斜視図である。
【符号の説明】
１，２，３    ケース
１１          底板
１２，１３    側板
１４，１６    側板
１５          折り返し板
１７          前板
１８          貫通孔
１９          凸部
３０          係止片
【図１】
0003811526.tif 000002
【図２】
0003811526.tif 000003
【図３】
0003811526.tif 000004
【図４】
0003811526.tif 000005
【図５】
0003811526.tif 000006